(57)【特許請求の範囲】
【請求項１】
箱体の左右方向の一方側に、上部を開口した尿タンク室を設け、他方側に真空吸引装置の格納室を設けると共に、格納室の上側には真空吸引装置に連なる接続口を設け、更に箱体には、上記尿タンク室の上方から上記格納室の、少なくとも接続口の上方に渡る中空の開閉蓋を設け、開閉蓋の下側には尿タンク室に装着する尿タンクの上蓋に並置した真空吸引装置側と尿受け器側との接続口に夫々対応する第１、第２の接続口を設けると共に、格納室の上側に設けた接続口に対応する第３の接続口を設け、開閉蓋の内部において、第１の接続口から第３の接続口に真空吸引経路を設けると共に、第２の接続口から開閉蓋の上側に設けたチューブ接続部に尿吸引経路を設けたことを特徴とする真空吸引式採尿装置。
【請求項２】
真空吸引経路は、第１の接続口から第２の接続口を外側に迂回して第３の接続口に至る構成としたことを特徴とする請求項１に記載の真空吸引式採尿装置。
【請求項３】
真空吸引経路は、開閉蓋が閉状態において、第１の接続口から第３の接続口に向かって上方に傾斜させて構成したことを特徴とする請求項１又は２に記載の真空吸引式採尿装置。
【請求項４】
真空吸引経路には、第３の接続口側にフィルター室を構成し、このフィルター室に脱臭フィルタを装着可能に構成したことを特徴とする請求項１に記載の真空吸引式採尿装置。
【請求項５】
真空吸引経路は一体成形により構成したことを特徴とする請求項１〜４のいずれか１項に記載の真空吸引式採尿装置。
【請求項６】
格納室の上側の接続口の上側に覆い部材を装着し、第３の接続口は覆い部材を囲んで格納室の上側に当接する構成としたことを特徴とする請求項１に記載の真空吸引式採尿装置。
【発明の詳細な説明】
【技術分野】
【０００１】
本発明は、尿受け器から輸尿用チューブを経て尿タンクに至る尿吸引経路と、真空吸引装置から真空吸引チューブを経て尿タンクに至る真空吸引経路とを有する真空吸引式採尿装置に関する。
【０００２】
このような真空吸引式採尿装置は、例えば特許文献１に示されるように、従来から提案されている。この特許文献１の採尿装置を図１０を参照して説明する。
符号１０１は採尿装置の要素を格納する箱体であり、箱体１０１の図中右側は開閉蓋１０２により開閉可能な尿タンク室を構成しており、この尿タンク室に尿タンク１０３を装着可能に構成している。また箱体１０１の図中左側には真空吸引装置１０４を格納し、上側には取っ手１０５を設けている。
【０００３】
尿タンク１０３は、上部に開口部を形成すると共に、取っ手１０６を回転可能に設けたタンク本体１０７と、前記開口部に水密的に装着する上蓋１０８とから構成している。この上蓋１０８には、真空吸引装置１０４側と尿受け器１０９側との接続口１１０ａ、１１０ｂを並置しており、これらの接続口１１０ａ、１１０ｂに対応して、上記箱体１０１の開閉蓋１０２の下側に接続口１１１ａ，１１１ｂを並置している。そして、接続口１１１ｂには尿受け器１０９に連なる輸尿用チューブ１１２を接続しており、また接続口１１１ａには真空吸引装置１０４に連なる真空吸引チューブ１１３を接続している。尚、この採尿装置では真空吸引チューブ１１３は硬質の部分１１３ａと、軟質の部分１１３ｂとを接続して構成している。
【０００４】
以上の構成においては、開閉蓋１０２を開とした状態において尿タンク室内に尿タンク１０３を入れ、開閉蓋１０２を閉として固定状態とすると、開閉蓋１０２の接続口１１１ａ，１１１ｂが、尿タンク１０３の上蓋１０８の接続口１１０ａ，１００ｂと当接して、夫々気密、水密状態に接続される。
【０００５】
このように、尿タンク１０３の上蓋１０８の接続口１１０ａ，１１０ｂと、開閉蓋１０２の接続口１１１ａ，１１１ｂとの気密、水密的な接続は、開閉蓋１０２を閉じた際に行われ、開閉蓋１０２を開けると接続が解除されるのであるが、開閉蓋１０２の接続口１１１ａと真空吸引装置１０４とは真空吸引チューブ１１３により常時接続状態である。
【特許文献１】実願昭５５−０３３３７１号（実開昭５７−４８９２４号）のマイクロフィルム
【発明の開示】
【発明が解決しようとする課題】
【０００６】
上述したような従来の真空吸引式採尿装置においては、以下に示すように課題がある。
１．開閉蓋の接続口と真空吸引装置とは真空吸引チューブにより常時接続状態であるため、真空吸引チューブには開閉蓋の開閉に伴って引張方向や捻れ方向に外力が加わる。即ち、開閉蓋を開方向に動かすと、真空吸引チューブには引張力や捻れ力が加わる。
２．このため、開閉蓋の開閉に際して力が必要であると共に、開閉蓋を開状態に維持できない。
３．上述した特許文献１のように、真空吸引チューブを硬質の部分と、移動や捩れを許容する軟質の部分とから構成する等の工夫が必要となり、設計の自由度が小さく、また隙間等も生じることから異物の侵入等の問題もある。
【０００７】
そこで、本発明は以上の課題を解決することを目的の一つとすると共に、極めて合理的に脱臭フィルタを設置可能として、尿臭の発散を防ぐことを他の目的の一つとし、更に真空吸引装置側への尿の侵入を防止することを他の目的の一つとするものである。
【課題を解決するための手段】
【０００８】
本発明は、以上の目的を達成するために、箱体の左右方向の一方側に、上部を開口した尿タンク室を設け、他方側に真空吸引装置の格納室を設けると共に、格納室の上側には真空吸引装置に連なる接続口を設け、更に箱体には、上記尿タンク室の上方から上記格納室の、少なくとも接続口の上方に渡る中空の開閉蓋を設け、開閉蓋の下側には尿タンク室に装着する尿タンクの上蓋に並置した真空吸引装置側と尿受け器側との接続口に夫々対応する第１、第２の接続口を設けると共に、格納室の上側に設けた接続口に対応する第３の接続口を設け、開閉蓋の内部において、第１の接続口から第３の接続口に真空吸引経路を設けると共に、第２の接続口から開閉蓋の上側に設けたチューブ接続部に尿吸引経路を設けた真空吸引式採尿装置を提案する。
【０００９】
そして本発明では、上記構成において、真空吸引経路は、第１の接続口から第２の接続口を外側に迂回して第３の接続口に至る構成とすることを提案する。
【００１０】
また本発明では、上記構成において、真空吸引経路は、開閉蓋が閉状態において、第１の接続口から第３の接続口に向かって上方に傾斜させて構成することを提案する。
【００１１】
また本発明では、上記の構成において、真空吸引経路には、第３の接続口側にフィルター室を構成し、このフィルター室に脱臭フィルタを装着可能に構成することを提案する。
【００１２】
また本発明では、上記の構成において、真空吸引経路は一体成形により構成することを提案する。
【００１３】
また本発明では、上記の構成において、格納室の上側の接続口の上側に覆い部材を装着し、第３の接続口は覆い部材を囲んで格納室の上側に当接する構成とすることを提案する。
【発明の効果】
【００１４】
本発明においては、中空の開閉蓋に、尿タンクの上蓋に並置した真空吸引装置側と尿受け器側との接続口に夫々対応する第１、第２の接続口に加えて、真空吸引装置との接続口に対応する第３の接続口を設けると共に、開閉蓋内に真空吸引経路と尿吸引経路を設けて、夫々の接続口同士の接続とその解除を、開閉蓋の開閉により行えるようにしたので、開閉蓋の開閉に伴って真空吸引経路を構成する要素に引張方向や捻れ方向の外力が加わることはない。
【００１５】
このため、開閉蓋の開閉に際して必要以上の力は不要であると共に、開閉蓋を開状態に維持することが容易である。
【００１６】
また真空吸引経路は、中空の開閉蓋の内部に構成するので、設計の自由度が大きく、比較的複雑な経路の形状もプラスチックス等の成形加工により、容易に実現できる。
【００１７】
例えば真空吸引経路の途中にフィルター室等を構成することも容易で、このフィルター室内に脱臭フィルタを装着することにより、尿臭の放散を防止することができる。
【００１８】
また真空吸引経路は、第１の接続口から第２の接続口を外側に迂回して第３の接続口に至る構成とすることにより、箱体が転倒した場合にも、尿タンク内の尿が真空吸引経路を流れて真空吸引装置側に流出することを防止し、また開閉蓋が閉状態において、第１の接続口から第３の接続口に向かって上方に傾斜させた構成を採用することにより、転倒等により真空吸引経路内の一部に流出した尿を尿タンク内に戻すことができる。
【００１９】
更に本発明では、格納室の上側の接続口の上側に覆い部材を装着し、第３の接続口は覆い部材を囲んで格納室の上側に当接する構成とすることにより、仮に尿が第３の接続口まで至ってしまったとしても、格納室内には侵入させない。
【発明を実施するための最良の形態】
【００２０】
次に本発明の実施の形態を、添付図面を参照して説明する。
図１は本発明の尿タンクを使用する真空吸引式採尿装置の実施の形態の外観を示す斜視図、また図２、図３は開閉蓋を開いた状態の斜視図、図４は尿タンク室から尿タンクを取り出した状態の斜視図、図５、図６は開閉蓋を下側から見た斜視図、図７は開閉蓋を構成する下側部材を示す斜視図、図８は開閉蓋を構成する上側部材を示す斜視図、図９は箱体の格納部の上側の断面図である。
【００２１】
図において符号１は採尿装置の要素を格納する箱体であり、箱体１の図中右側には、後述する構成の中空の開閉蓋２により開閉可能な尿タンク室３を設けており、この尿タンク室３に尿タンク４を装着可能に構成している。また箱体１の図中左側には真空吸引装置５の格納室を設けている。また箱体１の上側には取っ手６を上下動可能に設けている。符号７は尿受け器であり、尿受け器７には輸尿用チューブ８の一端側が接続されており、輸尿用チューブ８の他端側は着脱可能な接続部材９により開閉蓋２に形成されたチューブ接続部に接続されている。尚、図１においては尿受け器７は、箱体１の上部に設けたホルダー部１０に装着して支持した状態を示している。
【００２２】
尿タンク４は、上部に開口部を形成すると共に、取っ手１１を回転可能に設けたタンク本体１２と、前記開口部に水密的に装着する上蓋１３とから構成している。そして、この上蓋１３には、真空吸引装置５側と尿受け器７側との接続口１４ａ、１４ｂを並置しており、これらの接続口１４ａ、１４ｂに対応して、上記箱体１の開閉蓋２の下側に接続口１５ａ，１５ｂを並置している。これらの接続口１５ａ，１５ｂは、夫々上述した第１、第２の接続口に対応している。
【００２３】
図に示すように本発明においては、開閉蓋２は、上述した従来のもののように箱体１の図中右側の尿タンク室３にのみ対応して設けた構成ではなく、真空吸引装置５を格納した箱体１の格納部が有る図中左側の一部に渡って一体に構成している。
【００２４】
即ち、箱体１の図中左側の格納室の上側１６には後側寄りに、真空吸引装置５に連なる接続口１７を設けており、開閉蓋２は、上記尿タンク室３の上方から、上記格納室の接続口１７の上方に渡って一体に構成している。そして開閉蓋２には、上記第１、第２の接続口１５ａ，１５ｂに加えて、上記格納室の接続口１７に対応した接続口、即ち上述した第３の接続口１８を設けている。
【００２５】
この実施の形態においては、図９に示すように、接続口１７は上側に覆い部材１９を装着した構成であり、第３の接続口１８は覆い部材を囲んで格納室の上側に当接する構成としている。
【００２６】
そして開閉蓋２は、その内部において、第１の接続口１５ａから第３の接続口１８に真空吸引経路２０を設けると共に、第２の接続口１５ｂから開閉蓋２の上側に設けたチューブ接続部（図示省略）に尿吸引経路を設けている。このチューブ接続部は、図１に示すように、輸尿用チューブ８の他端側に設けた接続部材９を着脱自在に接続するもので、接続部材９を１８０°旋回させた状態で接続可能とすれば、輸尿用チューブ８の突出方向を変更することができ、便利である。
【００２７】
この真空吸引経路２０は、第１の接続口１５ａから第２の接続口１５ｂの外側を迂回して第３の接続口１８に至る空気経路として、プラスチックス等の成形加工により構成された経路部材を開閉蓋２内に支持して構成している。そして、この実施の形態においては、真空吸引経路２０は、開閉蓋２が閉状態において、第１の接続口１５ａから第３の接続口１８に向かって上方に傾斜させた構成としている。
【００２８】
さらにこの実施の形態では、真空吸引経路２０の第３の接続口１８側には開閉蓋２１を有するフィルター室２２を構成して、このフィルター室２２内に脱臭用フィルター２３を装着可能に構成している。
【００２９】
以上の構成の中空の開閉蓋２は、下側部材２４と上側部材２５を嵌合して構成している。上側部材２５にはスペーサ部２６を設けているので、下側部材２４を嵌合させた際に、上記真空吸引経路２０用の間隔が形成される。
【００３０】
以上の構成においては、開閉蓋２を開とした状態において尿タンク室３内に尿タンク４を入れ、開閉蓋２を閉として適宜のロック機構により固定状態とすると、開閉蓋２の接続口１５ａ，１５ｂが、尿タンク４の上蓋１３の接続口１４ａ，１４ｂと当接して、夫々気密、水密状態に接続されると同時に、開閉蓋２の接続口１８が覆い部材１９に覆われた接続口１７を覆って格納室の上側１６に当接して気密的に接続される。
【００３１】
こうして開閉蓋２を閉とすることにより、尿受け器７から尿タンク４に至る尿吸引経路と、真空吸引装置５から尿タンク４に至る真空吸引経路が形成され、採尿器の使用が可能となる。
【００３２】
また適宜のロック機構を解除して開閉蓋２を開ければ、尿の溜まった尿タンク４を尿タンク室３から取り出して廃棄する等の処理を行うことができる。
【００３３】
以上の構成においては、真空吸引経路２０は開閉蓋２内に構成しているので、開閉蓋２の開閉に伴って真空吸引経路２０を構成する要素に引張方向や捻れ方向の外力が加わることはない。
【００３４】
このため、開閉蓋２の開閉に際して必要以上の力は不要であると共に、開閉蓋２を開状態に維持することが容易である。従ってこの状態で尿タンク４の取り出し等を容易に行うことができる。
【００３５】
また上述したとおり、真空吸引経路２０は、中空の開閉蓋２の内部に構成するので、設計の自由度が大きく、比較的複雑な経路の形状もプラスチックス等の成形加工により、一体に容易に実現できる。
【００３６】
例えばこの実施の形態のように、真空吸引経路２０の途中にフィルター室２２を一体に構成することも容易で、このフィルター室２２内に脱臭フィルタ２３を装着し、蓋２１を閉じて運転することにより、尿臭の放散を防止することができる。
【００３７】
またこの実施の形態では、真空吸引経路２０は、第１の接続口１５ａから第２の接続口１５ｂを外側に迂回して第３の接続口１８に至る構成としているので、箱体が転倒して、尿タンク４内の尿が、接続口１４ａ、１５ａから真空吸引経路２０に一部流出したとしても、止まり、真空吸引経路２０をフィルター室２２方向に流れてしまうことがない。また真空吸引経路２０は、開閉蓋２が閉状態において、第１の接続口１５ａから第３の接続口１８に向かって上方に傾斜させた構成としているので、転倒等により真空吸引経路２０内の一部に流出した尿を尿タンク４内に戻すことができる。
【００３８】
更にこの実施の形態では、格納室の上側の接続口１７の上側に覆い部材１９を装着し、第３の接続口１８は覆い部材１９を囲んで格納室の上側１６に当接する構成としているので、仮に尿が第３の接続口１８まで至ってしまったとしても、格納室内には浸入させない。
【００３９】
尚、符号２７は尿タンク４に設けた目盛であり、この目盛２７により尿タンク４内に貯まった尿の量を量ることができる。また符号２８は、尿タンク４を尿タンク室３内に装着した際に、上記目盛２１に対応する箱体１の位置に形成した覗き窓であり、この覗き窓２８を介して上記尿タンク４内に貯まっている尿の状態を知ることができる。
【産業上の利用可能性】
【００４０】
本発明は以上の通りであるので、尿受け器から輸尿用チューブを経て尿タンクに至る尿吸引経路と、真空吸引装置から真空吸引チューブを経て尿タンクに至る真空吸引経路とを有する真空吸引式採尿装置において、開閉蓋を合理的に構成することにより、尿タンクの出し入れ時の利便性とメンテナンス性を向上すると共に、真空吸引装置側への尿や異物の侵入を防止し、排気中の尿臭を脱臭できることにより、病院等の施設用としては勿論のこと、家庭用としても利用可能性が非常に高いものである。
【図面の簡単な説明】
【００４１】
【図１】本発明の真空吸引式採尿装置の実施の形態の外観を示す斜視図である。
【図２】開閉蓋を開いた状態の斜視図である。
【図３】開閉蓋を開いた状態の他の斜視図である。
【図４】尿タンク室から尿タンクを取り出した状態の斜視図である。
【図５】開閉蓋を下側から見た斜視図である。
【図６】開閉蓋を下側から見た他の斜視図である。
【図７】開閉蓋を構成する下側部材を示す斜視図である。
【図８】開閉蓋を構成する上側部材を示す斜視図である。
【図９】箱体の格納部の上側の断面図である。
【図１０】従来の真空吸引式採尿装置の一例を示す斜視図である。
【符号の説明】
【００４２】
１                  箱体
２                  開閉蓋
３                  尿タンク室
４                  尿タンク
５                  真空吸引装置
６                  取っ手
７                  尿受け器
８                  輸尿用チューブ
９                  接続部材
１０                ホルダー部
１１                取っ手
１２                タンク本体
１３                上蓋
１４ａ、１４ｂ      接続口
１５ａ、１５ｂ      第１、第２の接続口
１６                上側
１７                接続口
１８                第３の接続口
１９                覆い部材
２０                真空吸引経路
２１                開閉蓋
２２                フィルター室
２３                脱臭フィルター
２４                下側部材
２５                上側部材
２６                スペーサ部
２７                目盛
２８                覗き窓
１０１              箱体
１０２              開閉蓋
１０３              尿タンク
１０４              真空吸引装置
１０５、１０６      取っ手
１０７              尿タンク本体
１０８              蓋
１０９              尿受け器
１１０ａ，１１０ｂ  接続口
１１１ａ，１１１ｂ  接続口
１１２              輸尿用チューブ
１１３              真空吸引チューブ
１１３ａ          硬質の部分
１１３ｂ          軟質の部分
【図１】
0004873490.tif 000002
【図２】
0004873490.tif 000003
【図３】
0004873490.tif 000004
【図４】
0004873490.tif 000005
【図５】
0004873490.tif 000006
【図６】
0004873490.tif 000007
【図７】
0004873490.tif 000008
【図８】
0004873490.tif 000009
【図９】
0004873490.tif 000010
【図１０】
0004873490.tif 000011